(57)【要約】【課題】空調機によって作られた空調空気を室内に給気しつつ、空調空気と室内空気とを混合した混合空気に含まれる不快な臭いや臭気成分を除去することができる空調設備を提供することにある。【解決手段】空調設備１０Ａでは、送風ユニット１３の給気ファン２４に流入する空気に含まれる臭いを除去する脱臭具１４ａが空気合流スペース２５に着脱可能に設置され、空調機１１に連結されたダクト１２を通った空調空気と送風ユニット１３の室内空気導入路２７に流入した室内空気とが送風ユニット１３の空気合流スペース２５において混合されて空調空気と室内空気との混合空気が作られ、混合空気が脱臭具１４を通流しつつ給気ファン２４によって室内に給気されるとともに、送風ユニット１３の室内空気導入路２７に流入した室内空気が脱臭具１４ａを通流しつつ給気ファン２４によって再び室内に給気される。【選択図】図１
2016138712.tif 000002
【特許請求の範囲】
【請求項１】
空調空気を作る空調機と、前記空調機に連結されて該空調機によって作られた空調空気を所定の室に送るダクトと、前記ダクトに連結されて前記室の室内に向かって空調空気を送風する送風ユニットとから形成され、
前記送風ユニットが、羽根の回転によって前記室に空気を強制的に給気する給気ファンと、前記給気ファンの羽根の外周縁部の外側近傍に位置して前記室内に向かって開口し、前記室の室内空気を取り入れてその室内空気を前記羽根の後方へ導入する室内空気導入路と、前記給気ファンの羽根の後方に位置して前記ダクトにつながり、該ダクトを通った空調空気と前記室内空気導入路に流入した室内空気とが合流する空気合流スペースとを有し、
前記給気ファンに流入する空気に含まれる臭いを除去する所定面積の脱臭具が、前記室内空気導入路と前記空気合流スペースとのうちの少なくとも該空気合流スペースに着脱可能に設置され、前記ダクトを通った空調空気が、前記脱臭具を通流しつつ前記給気ファンによって室内に給気され、前記室内空気導入路に流入した室内空気が、前記脱臭具を通流しつつ前記給気ファンによって再び室内に給気されることを特徴とする空調設備。
【請求項２】
前記脱臭具が、前記ダクトの所定の位置に着脱可能に設置され、前記空調機によって作られた空調空気に含まれる臭いを除去する請求項１に記載の空調設備。
【請求項３】
前記室内空気導入路が、前記給気ファンの羽根の外周縁部の外側近傍に位置し、前記羽根の軸方向へ延びていて該羽根の外周縁部を取り囲むとともに該羽根から軸方向前方へ延出する第１内周壁と、前記第１内周壁につながって前記羽根の径方向へ延びていて前記羽根の外周縁部に向かう第２内周壁と、前記第１内周壁の外側近傍に位置し、前記羽根の軸方向へ延びていて該第１内周壁を取り囲む第１外周壁と、前記第１外周壁につながって前記羽根の径方向へ延びていて前記空気合流スペースに達する第２外周壁とから画成されている請求項１または請求項２に記載の空調設備。
【請求項４】
前記ダクトの直径が、前記給気ファンの羽根のそれよりも小さく、前記ダクトが、前記羽根の後方に対向配置された状態で前記空気合流スペースにつながっている請求項１ないし請求項３いずれかに記載の空調設備。
【請求項５】
前記空調設備では、前記送風ユニットと前記脱臭具とが前記室の天井に設置され、前記給気ファンが前記空気を前記室の天井から床に向かって給気する請求項１ないし請求項４いずれかに記載の空調設備。
【請求項６】
前記空調設備では、前記空調機によって作られた空調空気と前記室内空気導入路に流入した室内空気とが前記空気合流スペースにおいて混合されて該空調空気と該室内空気との混合空気が作られ、前記混合空気が前記脱臭具を通流しつつ前記給気ファンによって室内に給気される請求項１ないし請求項５いずれかに記載の空調設備。
【請求項７】
前記空調設備では、１台の前記空調機に複数本のダクトが連接され、各ダクトに連結された前記送風ユニットが複数の室の各室毎に設置され、それら送風ユニットが前記混合空気とを各室に給気する請求項６に記載の空調設備。
【請求項８】
前記脱臭具が、その前後面間に延びる複数の通気路を有する連続気泡の軟質ポリウレタンフォームと、前記軟質ポリウレタンフォームの壁面に所定のバインダーを介して固着された活性炭粉末とから形成され、前記軟質ポリウレタンフォームの全体が、通気性包装シートに包被されている請求項１ないし請求項７いずれかに記載の空調設備。
【請求項９】
前記脱臭具が、活性炭粉末を混入したポリエーテル系フォーム原料または活性炭粉末を混入したポリエステル系フォーム原料を発泡させて作られ、該脱臭具の前後面間に延びる複数の通気路を有する連続気泡の軟質ポリウレタンフォームから形成され、前記軟質ポリウレタンフォームの全体が、通気性包装シートに包被されている請求項１ないし請求項７いずれかに記載の空調設備。
【請求項１０】
前記脱臭具では、前記複数の通気路が前記軟質ポリウレタンフォームの壁面に囲繞されて該ポリウレタンフォームの内部に画成され、それら通気路が前記前面と前記後面との間で前記軟質ポリウレタンフォームの厚み方向へ不規則に曲折しながら延びているとともに、前記ポリウレタンフォームの径方向へ不規則に曲折しながら延びている請求項８または請求項９に記載の空調設備。
【請求項１１】
前記脱臭具では、前記径方向へ隣接して前記厚み方向へ曲折して延びるそれら通気路が前記径方向において部分的に繋がり、前記厚み方向へ隣接して前記径方向へ曲折して延びるそれら通気路が前記厚み向において部分的に繋がっている請求項１０に記載の空調設備。
【請求項１２】
前記脱臭具では、それら通気路の開口面積が前記厚み方向に向かって不規則に変化しているとともに前記径方向に向かって不規則に変化し、それら通気路の開口面積が相違している請求項１０または請求項１２に記載の空調設備。
【請求項１３】
前記軟質ポリウレタンフォームの厚み寸法が、１０〜３０ｍｍの範囲にあり、前記軟質ポリウレタンフォームの質量が、６０〜１００ｇの範囲にある請求項８ないし請求項１２いずれかに記載の空調設備。
【請求項１４】
前記軟質ポリウレタンフォームの面速が、３０〜６０ｃｍ／ｓｅｃの範囲にある請求項８ないし請求項１３いずれかに記載の空調設備。
【請求項１５】
前記脱臭具を形成する通気性包装シートが、所定のメッシュ数を有するネットまたは微細な不純物の捕集機能を有するエアフィルタである請求項１ないし請求項１４いずれかに記載の空調設備。
【請求項１６】
前記脱臭具を形成する通気性包装シートが、所定のメッシュ数を有して前記前面と前記後面とのうちのいずれか一方の面に位置するネットと、微細な不純物の捕集機能を有して前記前面と前記後面とのうちのいずれか他方の面に位置するエアフィルタとから作られている請求項１ないし請求項１４いずれかに記載の空調設備。
【発明の詳細な説明】
【技術分野】
【０００１】
本発明は、臭いを除去した空気を室に送風する空調設備に関する。
【背景技術】
【０００２】
開口部をもつ担体に酸化マンガンや酸化銅等の金属酸化物触媒と臭気物質を物理的に吸着する吸着剤と臭気物質を化学的に吸着する化学吸着剤を担持した第１の脱臭フィルタと、開口部をもつ担体に酸化マンガンや酸化銅等の金属酸化物触媒と臭気物質を物理的に吸着する吸着剤を担持した第２の脱臭フィルタと、空気中の粒子状物質を捕捉する集塵フィルタとを備え、第２のフィルタが第１の脱臭フィルタの風下側に配置され、集塵フィルタが第１の脱臭フィルタの風上側に配置され，第１のフィルタと第２のフィルタとの間にファンが設置された生活臭を除去する脱臭装置が開示されている（特許文献１参照）。
【先行技術文献】
【特許文献】
【０００３】
【特許文献１】特開２００７−２２９２６０号公報
【発明の概要】
【発明が解決しようとする課題】
【０００４】
前記特許文献１に開示の脱臭装置は、室内空気に含まれる生活臭を除去し、清浄な空気を作ることができるが、煖房空気や冷房空気、除湿空気等の空調空気を作ることはできず、空調空気を室内に給気することができないから、別途設置した空調空気を利用して空調空気を室内に給気する必要がある。また、この脱臭装置は、空調機から給気される空調空気が室内に給気される以前に、その空調空気に含まれるカビ臭や生活臭、たばこ臭、ノネナール臭等の不快な臭いやその他の臭気成分を除去することができず、空調機から空調空気が室内に給気された後、その空調空気に含まれる臭いや臭気成分を除去することになり、不快な臭いや臭気成分を含む空調空気の室内への給気を防ぐことができない。なお、室内空気や空調空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本発明の目的は、空調機によって作られた煖房空気や冷房空気、除湿空気、加湿空気、加湿煖房空気、除湿冷房空気等の空調空気を室内に給気しつつ、空調空気および室内空気に含まれる不快な臭いや臭気成分を除去することができる空調設備を提供することにある。本発明の他の目的は、室内空気および空調空気から不快な臭いや臭気成分を除去して清浄な空気を作ることができ、その清浄な空気を室内に給気することができる空調設備を提供することにある。
【課題を解決するための手段】
【０００６】
前記課題を解決するための本発明は、空調空気を作る空調機と、空調機に連結されて空調機によって作られた空調空気を所定の室に送るダクトと、ダクトに連結されて室の室内に向かって空調空気を送風する送風ユニットとから形成され、送風ユニットが、羽根の回転によって室に空気を強制的に給気する給気ファンと、給気ファンの羽根の外周縁部の外側近傍に位置して室内に向かって開口し、室の室内空気を取り入れてその室内空気を羽根の後方へ導入する室内空気導入路と、給気ファンの羽根の後方に位置してダクトにつながり、ダクトを通った空調空気と室内空気導入路に流入した室内空気とが合流する空気合流スペースとを有し、給気ファンに流入する空気に含まれる臭いを除去する所定面積の脱臭具が室内空気導入路と空気合流スペースとのうちの少なくとも空気合流スペースに着脱可能に設置され、ダクトを通った空調空気が脱臭具を通流しつつ給気ファンによって室内に給気され、室内空気導入路に流入した室内空気が脱臭具を通流しつつ給気ファンによって再び室内に給気されることを特徴とする。
【０００７】
本発明の一例としては、脱臭具がダクトの所定の位置に着脱可能に設置され、空調機によって作られた空調空気に含まれる臭いを除去する。
【０００８】
本発明の他の一例としては、室内空気導入路が、給気ファンの羽根の外周縁部の外側近傍に位置し、羽根の軸方向へ延びていて羽根の外周縁部を取り囲むとともに羽根から軸方向前方へ延出する第１内周壁と、第１内周壁につながって羽根の径方向へ延びていて羽根の外周縁部に向かう第２内周壁と、第１内周壁の外側近傍に位置し、羽根の軸方向へ延びていて第１内周壁を取り囲む第１外周壁と、第１外周壁につながって羽根の径方向へ延びていて空気合流スペースに達する第２外周壁とから画成されている。
【０００９】
本発明の他の一例としては、ダクトの直径が給気ファンの羽根のそれよりも小さく、ダクトが羽根の後方に対向配置された状態で空気合流スペースにつながっている。
【００１０】
本発明の他の一例として、空調設備では、送風ユニットと脱臭具とが室の天井に設置され、給気ファンが空気を室の天井から床に向かって給気する。
【００１１】
本発明の他の一例として、空調設備では、空調機によって作られた空調空気と室内空気導入路に流入した室内空気とが空気合流スペースにおいて混合されて空調空気と室内空気との混合空気が作られ、混合空気が脱臭具を通流しつつ給気ファンによって室内に給気される。
【００１２】
本発明の他の一例として、空調設備では、１台の空調機に複数本のダクトが連接され、各ダクトに連結された送風ユニットが複数の室の各室毎に設置され、それら送風ユニットが混合空気を各室に給気する。
【００１３】
本発明の他の一例としては、脱臭具が、その前後面間に延びる複数の通気路を有する連続気泡の軟質ポリウレタンフォームと、軟質ポリウレタンフォームの壁面に所定のバインダーを介して固着された活性炭粉末とから形成され、軟質ポリウレタンフォームの全体が通気性包装シートに包被されている。
【００１４】
本発明の他の一例としては、脱臭具が、活性炭粉末を混入したポリエーテル系フォーム原料または活性炭粉末を混入したポリエステル系フォーム原料を発泡させて作られ、脱臭具の前後面間に延びる複数の通気路を有する連続気泡の軟質ポリウレタンフォームから形成され、軟質ポリウレタンフォームの全体が通気性包装シートに包被されている。
【００１５】
本発明の他の一例として、脱臭具では、複数の通気路が軟質ポリウレタンフォームの壁面に囲繞されてポリウレタンフォームの内部に画成され、それら通気路が前面と後面との間で軟質ポリウレタンフォームの厚み方向へ不規則に曲折しながら延びているとともに、ポリウレタンフォームの径方向へ不規則に曲折しながら延びている。
【００１６】
本発明の他の一例として、脱臭具では、径方向へ隣接して厚み方向へ曲折して延びるそれら通気路が径方向において部分的に繋がり、厚み方向へ隣接して径方向へ曲折して延びるそれら通気路が厚み向において部分的に繋がっている。
【００１７】
本発明の他の一例として、前記脱臭具では、それら通気路の開口面積が厚み方向に向かって不規則に変化しているとともに径方向に向かって不規則に変化し、それら通気路の開口面積が相違している。
【００１８】
本発明の他の一例としては、軟質ポリウレタンフォームの厚み寸法が１０〜３０ｍｍの範囲にあり、軟質ポリウレタンフォームの質量が６０〜１００ｇの範囲にある。
【００１９】
本発明の他の一例としては、軟質ポリウレタンフォームの面速が３０〜６０ｃｍ／ｓｅｃの範囲にある。
【００２０】
本発明の他の一例としては、脱臭具を形成する通気性包装シートが所定のメッシュ数を有するネットまたは微細な不純物の捕集機能を有するエアフィルタである。
【００２１】
本発明の他の一例としては、脱臭具を形成する通気性包装シートが所定のメッシュ数を有して前面と後面とのうちのいずれか一方の面に位置するネットと微細な不純物の捕集機能を有して前面と後面とのうちのいずれか他方の面に位置するエアフィルタとから作られている。
【発明の効果】
【００２２】
本発明にかかる空調設備によれば、室内空気導入路と空気合流スペースとの少なくとも空気合流スペースに脱臭具が設置され、空調機によって作られてダクトを通った煖房空気や冷房空気、除湿空気、加湿空気、加湿煖房空気、除湿冷房空気等の空調空気がその脱臭具を通流しつつ給気ファンによって室内に給気されるから、脱臭具を利用して空調空気に含まれる不快な臭いや臭気成分を除去することができ、不快な臭いや臭気成分を除去した清浄な空調空気を作ることができるとともに、清浄な空調空気を室の室内に給気することができる。空調設備は、室内空気導入路に流入した室内空気が脱臭具を通流しつつ給気ファンによって再び室内に給気されるから、空調空気に含まれる不快な臭いや臭気成分を除去することができるのみならず、室内空気に含まれる不快な臭いや臭気成分が脱臭具によって除去され、空調空気や室内空気から不快な臭いや臭気成分を除去した清浄な空気を作ることができ、不快な臭いや臭気成分を除去した清浄な室内空気や空調空気を室内に給気することができるとともに、室内の空気を清浄に保持することができる。空調設備は、室内空気導入路に流入した室の室内空気が脱臭具を通流した後、室内に給気され、再び室内空気導入路に流入して脱臭具を通流することで、室内空気が脱臭具を繰り返し通流（循環）するから、室内空気が脱臭具によって次第に浄化され、給気ファンを扇風機を長時間稼働させることによって脱臭着の脱臭機能を十分に発揮させることができ、室内空気に含まれる不快な臭いや臭気成分を確実に除去することができる。
【００２３】
脱臭具がダクトの所定の位置に着脱可能に設置されて空調機によって作られた空調空気に含まれる臭いを除去する空調設備は、空調機によって作られた空調空気がダクトを通過する過程において、その空調空気に含まれる不快な臭いや臭気成分がダクトに設置された脱臭具によって除去されるから、不快な臭いや臭気成分を除去した清浄な空調空気を作ることができ、不快な臭いや臭気成分を含む空調空気の室内への給気を防ぐことができる。
【００２４】
室内空気導入路が給気ファンの羽根の外周縁部の外側近傍に位置する第１内周壁と第１内周壁につながって羽根の外周縁部に向かう第２内周壁と第１内周壁の外側近傍に位置する第１外周壁と第１外周壁につながって空気合流スペースに達する第２外周壁とから画成された空調設備は、第１および第２内外周壁によって作られた室内空気導入路によって室の室内空気を給気ファンの羽根の後方へ確実に導入することができる。空調設備は、室の室内空気が第１および第２内外周壁によって作られた室内空気導入路を通って羽根の後方へ導入され、室内空気を再び給気ファンに流入させることができるから、室内空気を脱臭具に繰り返し通流（循環）させることができ、室内空気が脱臭具によって次第に浄化され、室内空気に含まれる不快な臭いや臭気成分を確実に除去することができる。
【００２５】
ダクトの直径が給気ファンの羽根のそれよりも小さく、ダクトが羽根の後方に対向配置された状態で空気合流スペースにつながっている空調設備は、ダクトの直径が給気ファンの羽根のそれよりも大きいと、ダクトから搬送された空調空気が室内空気導入路を通って室内に給気される場合があるが、ダクトの直径が給気ファンの羽根のそれよりも小さく、ダクトが羽根の後方に対向配置された状態で空気合流スペースにつながっているから、空調空気を給気ファンの羽根の回転による空気の流れに乗せることができ、空調空気を給気ファンから室内に確実に給気することができる。空調設備は、空調空気が室内空気導入路に流入することがなく、室内空気が室内空気導入路を通って再び再び給気ファンに流入するから、室内空気を脱臭具に繰り返し通流（循環）させることができ、室内空気が脱臭具によって次第に浄化され、室内空気に含まれる不快な臭いや臭気成分を確実に除去することができる。
【００２６】
送風ユニットと脱臭具とが前記室の天井に設置され、給気ファンが空気を室の天井から床に向かって給気する空調設備は、空調機によって作られた空調空気と室内空気導入路に流入した室内空気とを室の天井から床に向かって給気することで、たとえば、煖房空気や加湿煖房空気を室内おいて天井から床に向かって流動させることができ、煖房空気や加湿煖房空気が室の上部に滞留することはなく、室内全域を一定の温度に暖房することができる。また、冷房空気や除湿冷房空気を室内おいて天井から床に向かって流動させることができ、冷房空気や除湿冷房空気が室の下部に滞留することはなく、室内全域を一定の温度に冷房することができる。
【００２７】
空調機によって作られた空調空気と室内空気導入路に流入した室内空気とが空気合流スペースにおいて混合されて空調空気と室内空気との混合空気が作られ、混合空気が脱臭具を通流しつつ給気ファンによって室内に給気される空調設備は、混合空気が脱臭具を繰り返し通流することで、混合空気に含まれる不快な臭いや臭気成分が脱臭具によって除去されるから、不快な臭いや臭気成分を除去した清浄な混合空気（空調空気および室内空気）を作ることができ、その清浄な混合空気を室内に給気することができる。
【００２８】
１台の空調機に複数本のダクトが連接され、各ダクトに連結された送風ユニットが複数の室の各室毎に設置され、それら送風ユニットが混合空気を各室に給気する空調設備は、１台の空調機によって作られた空調空気を各ダクトを利用して複数の室に送り、各室に設置された送風ユニットから空調空気を室の室内に給気するから、各室毎に空調機を設置する必要はなく、複数台の空調機を利用する場合と比較し、空調機において消費される電力を最小限にすることができ、空調設備において消費されるエネルギーを少なくすることができる。空調設備は、混合空気（各室に給気される空調空気および各室の室内空気）に含まれる不快な臭いや臭気成分が各送風ユニットの脱臭具によって除去されるから、臭いや臭気成分が除去された清浄な空気を各室に給気することができ、各室の室内の空気を清浄に保持することができる。
【００２９】
脱臭具がその前後面間に延びる複数の通気路を有する連続気泡の軟質ポリウレタンフォームとポリウレタンフォームの壁面に所定のバインダーを介して固着された活性炭粉末とから形成され、ポリウレタンフォームの全体が通気性包装シートに包被されている空調設備は、空調空気や室内空気が軟質ポリウレタンフォームに形成された複数の通気路を通流するときに、ポリウレタンフォームの壁面に塗布された活性炭に接触し、空調空気や室内空気に含まれる不快な臭いや臭気成分が活性炭に吸着されるから、空調空気や室内空気に含まれる臭いや臭気成分を脱臭具によって確実に取り除くことができる。空調設備は、空調空気や室内空気に含まれる不快な臭いや臭気成分が軟質ポリウレタンフォームの壁面に塗布された活性炭によって除去されるから、臭いや臭気成分を除去した清浄な空気を作ることができ、空調機による空調空気の給気と同時に無臭かつ清浄な空気を室内に給気することができる。空調設備は、室内空気が給気ファンの稼働中に軟質ポリウレタンフォームの通気路を通流した後、室内空気導入路を通って再びポリウレタンフォームの通気路を通流し室内空気気がポリウレタンフォームの通気路を繰り返し通流（循環）するから、室内空気が活性炭によって次第に浄化され、室内空気に含まれる不快な臭いや臭気成分を確実に除去することができる。
【００３０】
脱臭具が活性炭粉末を混入したポリエーテル系フォーム原料または活性炭粉末を混入したポリエステル系フォーム原料を発泡させて作られて脱臭具の前後面間に延びる複数の通気路を有する連続気泡の軟質ポリウレタンフォームから形成され、ポリウレタンフォームの全体が通気性包装シートに包被されている空調設備は、空調空気や室内空気が軟質ポリウレタンフォームに形成された複数の通気路を通流するときに、ポリウレタンフォームの壁面に露出する活性炭に接触し、空調空気や室内空気に含まれる不快な臭いや臭気成分が活性炭に吸着されるから、空調空気や室内空気に含まれる臭いや臭気成分を脱臭具によって確実に取り除くことができる。空調設備は、空調空気や室内空気に含まれる不快な臭いや臭気成分が軟質ポリウレタンフォームの壁面に露出する活性炭によって除去されるから、臭いや臭気成分を除去した清浄な空気を作ることができ、空調機による空調空気の給気と同時に無臭かつ清浄な空気を室内に給気することができる。空調設備は、室内空気が給気ファンの稼働中に軟質ポリウレタンフォームの通気路を通流した後、室内空気導入路を通って再びポリウレタンフォームの通気路を通流し室内空気気がポリウレタンフォームの通気路を繰り返し通流（循環）するから、室内空気が活性炭によって次第に浄化され、室内空気に含まれる不快な臭いや臭気成分を確実に除去することができる。
【００３１】
複数の通気路が軟質ポリウレタンフォームの壁面に囲繞されてポリウレタンフォームの内部に画成され、それら通気路がポリウレタンフォームの厚み方向へ不規則に曲折しながら延びているとともにポリウレタンフォームの径方向へ不規則に曲折しながら延びている空調設備は、それら通気路が軟質ポリウレタンフォームの厚み方向や径方向へ直状に延びる場合と比較し、ポリウレタンフォームの内部における通気路の全長が長くなり、ポリウレタンフォームの壁面の比表面積が大きくなるから、活性炭に対する空調空気や室内空気の接触時間が長くなり、活性炭を塗布したポリウレタンフォームや活性炭を混入したポリウレタンフォームの臭気吸着機能を向上させることができ、空調空気や室内空気に含まれる不快な臭いや臭気成分をポリウレタンフォームに塗布された活性炭やポリウレタンフォームに混入された活性炭に十分かつ確実に吸着させることができる。空調設備は、空調空気や室内空気に含まれる不快な臭いや臭気成分がポリウレタンフォームに塗布された活性炭やポリウレタンフォームに混入された活性炭によって除去されるから、それら臭いを除去した清浄な空気を作ることができ、その清浄な空気を室内に給気することができる。
【００３２】
径方向へ隣接して厚み方向へ曲折して延びるそれら通気路が径方向において部分的に繋がり、厚み方向へ隣接して径方向へ曲折して延びるそれら通気路が厚み向において部分的に繋がっている空調設備は、軟質ポリウレタンフォームの内部における通気路の全長が長くなり、空気が隣接する通気路に進入することで、活性炭に対する空調空気や室内空気の接触時間を長くすることができるから、活性炭を塗布したポリウレタンフォームや活性炭を混入したポリウレタンフォームの臭気吸着機能を向上させることができ、空調空気や室内空気に含まれる不快な臭いや臭気成分をポリウレタンフォームに塗布された活性炭やポリウレタンフォームに混入された活性炭に十分かつ確実に吸着させることができる。空調設備は、空調空気や室内空気に含まれる不快な臭いや臭気成分がポリウレタンフォームに塗布された活性炭やポリウレタンフォームに混入された活性炭によって除去されるから、それら臭いを除去した清浄な空気を作ることができ、その清浄な空気を室内に給気することができる。
【００３３】
それら通気路の開口面積が厚み方向に向かって不規則に変化しているとともに径方向に向かって不規則に変化し、それら通気路の開口面積が相違している空調設備は、通気路の開口面積が同一である場合と比較し、通気路を通過する空調空気や室内空気が軟質ポリウレタンフォームの壁面に確実に衝突するから、活性炭を塗布したポリウレタンフォームや活性炭を混入したポリウレタンフォームの臭気吸着機能を向上させることができ、空調空気や室内空気に含まれる不快な臭いや臭気成分をポリウレタンフォームに塗布された活性炭やポリウレタンフォームに混入された活性炭に十分かつ確実に吸着させることができる。空調設備は、空調空気や室内空気に含まれる不快な臭いや臭気成分がポリウレタンフォームに塗布された活性炭やポリウレタンフォームに混入された活性炭によって除去されるから、それら臭いを除去した清浄な空気を作ることができ、その清浄な空気を室内に給気することができる。
【００３４】
軟質ポリウレタンフォームの厚み寸法が１０〜３０ｍｍの範囲にあり、軟質ポリウレタンフォームの質量が６０〜１００ｇの範囲にある空調設備は、ポリウレタンフォームの厚み寸法を前記範囲にすることで、ポリウレタンフォームの壁面の比表面積を大きくすることができるから、活性炭を塗布したポリウレタンフォームや活性炭を混入したポリウレタンフォームの臭気吸着機能を向上させることができ、空調空気や室内空気に含まれる不快な臭いや臭気成分をポリウレタンフォームに塗布された活性炭やポリウレタンフォームに混入された活性炭に十分かつ確実に吸着させることができる。空調設備は、軟質ポリウレタンフォームの質量が前記範囲にあるから、脱臭具が軽量になり、脱臭具の送風ユニットへの設置作業や交換作業を容易に行うことができる。
【００３５】
軟質ポリウレタンフォームの面速が３０〜６０ｃｍ／ｓｅｃの範囲にある空調設備は、軟質ポリウレタンフォームの面速が前記範囲にあるから、脱臭具が給気ファンに流入する空調空気や室内空気の抵抗になることはなく、給気ファンに空調空気や室内空気をスムーズに流入させることができ、脱臭具によって不快な臭いや臭気成分が除去された清浄な空気を室内に給気することができる。また、空調空気や室内空気が軟質ポリウレタンフォームのそれら通気路を瞬時に通過することはなく、ポリウレタンフォームの通気路の壁面に空調空気や室内空気を十分に接触させることができ、空調空気や室内空気に含まれる不快な臭いや臭気成分をポリウレタンフォームに塗布された活性炭やポリウレタンフォームに混入された活性炭に十分かつ確実に吸着させることができる。
【００３６】
脱臭具を形成する通気性包装シートが所定のメッシュ数を有するネットまたは微細な不純物の捕集機能を有するエアフィルタである空調設備は、包装シートが所定のメッシュ数を有するネットから作られている場合、脱臭具に流入する空調空気や室内空気がそのネットを通過し、空調空気や室内空気に含まれる塵埃がネットに捕集されるから、空調空気や室内空気に含まれる臭いや臭気成分とともに塵埃を除去した清浄な空気を作ることができる。包装シートが微細な不純物の捕集機能を有するエアフィルタから作られている場合、空調空気や室内空気がエアフィルタを通流するときに空気に含まれる微細な塵埃や花粉、ＰＭ２．５、雑菌等の不純物がエアフィルタに捕集されるから、空調空気や室内空気に含まれる臭いや臭気成分とともに微細な不純物を除去した清浄な空気を作ることができる。
【００３７】
脱臭具を形成する通気性包装シートが所定のメッシュ数を有して前面と後面とのうちのいずれか一方の面に位置するネットと微細な不純物の捕集機能を有して前面と後面とのうちのいずれか他方の面に位置するエアフィルタとから作られている空調設備は、ネットが前面に位置しつつエアフィルタが後面に位置する場合、空調空気や室内空気に含まれる微細な塵埃や花粉、ＰＭ２．５、雑菌等の不純物がフィルタに捕集され、空調空気や室内空気に含まれる臭いや臭気成分とともに微細な不純物を除去した清浄な空気を作ることができる。エアフィルタが前面に位置しつつネットが後面に位置する場合、空調空気や室内空気に含まれる塵埃がネットに捕集されるとともに、空調空気や室内空気に含まれる微細な塵埃や花粉、ＰＭ２．５、雑菌等の不純物がフィルタに捕集され、空調空気や室内空気に含まれる臭いや臭気成分とともに塵埃や微細な不純物を除去した清浄な空気を作ることができる。
【図面の簡単な説明】
【００３８】
【図１】一例として示す空調設備の構成図。
【図２】図１の空調設備の上面図。
【図３】一例として示す送風ユニットの側面図。
【図４】図３の送風ユニットの正面図。
【図５】図３の送風ユニットの背面図。
【図６】送風ユニットの空気合流スペースに設置された脱臭具の一例を示す斜視図。
【図７】図６のＡ−Ａ線端面図。
【図８】ダクトの先端部に設置された脱臭具の一例を示す斜視図。
【図９】図８のＢ−Ｂ線端面図。
【図１０】脱臭具を形成する軟質ポリウレタンフォームの部分拡大斜視図。
【図１１】空調設備における空気の流れの一例を説明する送風ユニットの側面図。
【図１２】空調設備における空気の流れの他の一例を説明する送風ユニットの側面図。
【図１３】他の一例として示す空調設備の構成図。
【図１４】図１３の空調設備の上面図。
【図１５】脱臭具の脱臭機能の測定手順を説明する図。
【図１６】図１５から続く脱臭具の脱臭機能の測定手順を説明する図。
【図１７】アンモニアに対する測定結果を示す図。
【図１８】トリメチルアミンに対する測定結果を示す図。
【図１９】メチルメルカプタンに対する測定結果を示す図。
【図２０】硫化水素に対する測定結果を示す図。
【図２１】酢酸に対する測定結果を示す図。
【図２２】アセトアルデヒドに対する測定結果を示す図。
【発明を実施するための形態】
【００３９】
一例として示す空調設備１０Ａの構成図である図１等の添付の図面を参照し、本発明にかかる空調設備の詳細を説明すると、以下のとおりである。なお、図２は、空調設備１０Ａの上面図であり、図３は、一例として示す送風ユニット１３の側面図である。図４は、図３の送風ユニット１３の正面図であり、図５は、図３の送風ユニット１３の背面図である。図６は、送風ユニット１３の空気合流スペース２５に設置された脱臭具１４ａの一例を示す斜視図であり、図７は、図６のＡ−Ａ線端面図である。図８は、ダクト１２の先端部２０に設置された脱臭具１４ｂの一例を示す斜視図であり、図９は、図８のＢ−Ｂ線端面図である。図１０は、脱臭具１４ａ，１４ｂを形成する軟質ポリウレタンフォーム４７の部分拡大斜視図である。
【００４０】
図１では、空調設備１０Ａを施設した室を側方から示す。図３では、脱臭具１４ａ，１４ｂを断面で示す。図５では、室内空気導入路２７の第２外周壁３８を省略した状態で示す、図６，８では、エアフィルタ４５および通気性ネット４６の一部を破断した状態で示す。図６，８では、径方向を矢印Ｘ、周り方向を矢印Ｙで示し、厚み方向を矢印Ｚで示するしをこうを。図１，２では、室１５に１台の送風ユニット１３が設置される場合を図示しているが、室１５に２台以上の送風ユニット１３が設置され、それら送風ユニット１３がダクト１２を介して室内ユニット１７に接続されていてもよい。
【００４１】
空調設備１０Ａは、空調機１１と、空調機１１に連結されたダクト１２（送風ダクト）と、ダクト１２に連結された送風ユニット１３と、脱臭具１４ａ，１４ｂとから形成されている。空調方式は、個別方式が利用されているが、中央方式を利用することもできる。空調機１１には、天井カセット型が利用されている。空調機１１は、建造物（ビル）の屋上に設置された室外ユニット（室外機）（図示せず）と、建造物（ビル）の室１５の天井１６に設置された室内ユニット１７（室内機）とから形成されている。室内ユニット１７は、室外ユニットに空調ダクト（冷媒管）（図示せず）を介して接続され、煖房空気や冷房空気、除湿空気、加湿空気、加湿煖房空気、除湿冷房空気等の空調空気を室１５の室内に送風する。なお、空調機１１としてダクト接続型を使用することもできる。
【００４２】
ダクト１２は、基端部１８および先端部２０と、それら部１８，２０の間に延びる中間部１９とを有し、基端部１８が室内ユニット１７に気密に接続され、先端部２０が送風ユニット１３に気密に接続されている。ダクト１２は、天井スラブ２１と吊り天井２２との間に位置し、その中間部１９が吊り金具（図示せず）によって天井スラブ２１に設置されている。ダクト１２は、室内ユニット１７と送風ユニット１３とを連結し、空調機１１によって作られた空調空気を室内ユニット１７から送風ユニット１３に搬送する。ダクト１２はその断面形状が円形であるが、断面形状が四角形であってもよい。
【００４３】
送風ユニット１３は、天井スラブ２１と吊り天井２２との間に配置され、吊り金具（図示せず）によって天井スラブ２１に設置されている。送風ユニット１３は、室１５の天井１６から床２３（室内）に向かって混合空気（空調空気および室内空気）または室内空気を送風する。送風ユニット１３は、給気ファン２４と、空気合流スペース２５および空気給気スペース２６（空気流動スペース）と、給気ファン２４の外側近傍に画成された室内空気導入路２７とを有する。
【００４４】
給気ファン２４は、モーターケース２８に収納されたモーター（図示せず）と、軸（図示せず）がモーターに回転可能に連結された羽根２９とを有する。給気ファン２４では、モーターの回転によって軸が回転するとともに羽根２９が回転する。給気ファン２４は、羽根２９の回転によって室１５の天井１６から床２３に向かって空気（空調空気、混合空気、室内空気）を強制的に給気する。給気ファン２４は、信号線を介してコントローラ（図示せず）に接続され、インバータによってモーターの出力（回転数）が制御されている。給気ファン２４は、コントローラによってモーターの出力を変更することができ、その出力（送風能力）を調節することができる。
【００４５】
空気合流スペース２５は、ダクト１２の先端部２０の直前（給気ファン２４の羽根２９の後方（直後）（給気ファン２４の上流側））に位置し、ダクト１２の先端部２０と羽根２９（空気給気スペース２６）との間に画成されている。なお、給気ファン２４の羽根２９の直径よりもダクト１２の直径が小さく、ダクト１２が羽根２９の後方（直後）（給気ファン２４の上流側）に対向配置された状態でダクト１２の先端部２０が空気合流スペース２５につながっている。給気ファン２４の羽根２９の軸の中心とダクト１２の軸中心とが一致するとともに、ダクト１２の先端部２０の周縁が羽根２９の外周縁部３０の内側に位置した状態でダクト１２の先端部２０が空気合流スペース２５に接続されている。
【００４６】
空気給気スペース２６は、給気ファン２４（モーターケース２８および羽根２９）が位置する羽根配置空間３１と、給気ファン２４（羽根配置空間３１）の前方（直前）（給気ファン２４の下流側）に位置して吊り天井２２から室１５の床２３に向かって開口する円形の吹き出し口３２とから形成されている。空気給気スペース２６は、給気ファン２４の羽根２９の外周縁部３０の外側近傍（直近）に位置して羽根２９（軸）の軸方向へ延びる周壁３３に囲繞され、その直径が給気ファン２４の羽根２９のそれよりもわずかに大きく、円形に成形されている。周壁３３は、給気ファン２４の羽根２９の外周縁部３０を取り囲むとともに、羽根２９から軸方向前方へ所定寸法延出している。吹き出し口３２には、円形のガラリ３４が着脱可能に取り付けられている。
【００４７】
室内空気導入路２７は、給気ファン２４から給気されて室１５の室内に存在する室内空気を取り入れ、その室内空気を空気合流スペース２５（給気ファン２４の羽根２９の後方（直後）（給気ファン２４の上流側））に導入する。室内空気導入路２７は、第１および第２内周壁３５，３６と、第１および第２外周壁３７，３８とから画成され、それら周壁３５〜３８に囲繞されている。室内空気導入路２７は、給気ファン２４の羽根２９の外周縁部３０の外側近傍に位置して室１５の天井１６から床２３（室内）に向かって開口する吸気口３９を有する。吸気口３９は、羽根２９の軸を中心として四角形を画き、空気給気スペース２６（給気ファン２４の羽根２９の外周縁部３０）を取り囲んでいる。
【００４８】
第１内周壁３５は、給気ファン２４の羽根２９の外周縁部３０（吹き出し口３２を囲繞する周壁３３）の外側近傍に位置し、羽根２９（軸）の軸方向へ延びており、羽根２９から軸方向前方へ所定寸法延出している。第１内周壁３５は、羽根２９の軸を中心として四角形を画き、空気給気スペース２６（給気ファン２４の羽根２９の外周縁部３０）を取り囲んでいる。第２内周壁３６は、給気ファン２４の羽根２９の後方（直後）に位置して羽根２９（軸）の径方向へ延びている。第２内周壁３６は、第１内周壁３５につながって第１内周壁３５の内端縁から羽根２９の外周縁部３０に向かい、吹き出し口３２を囲繞する周壁３３の内端縁につながっている。
【００４９】
第１外周壁３７は、第１内周壁３５の外側近傍に位置し、第１内周壁３５に平行して給気ファン２４の羽根２９（軸）の軸方向へ延びており、羽根２９から軸方向前方へ所定寸法延出している。第１外周壁３７は、羽根２９の軸を中心として四角形を画き、空気給気スペース２６（給気ファン２４の羽根２９の外周縁部３０）を取り囲んでいる。第２外周壁３８は、第２内周壁３６（給気ファン２４の羽根２９）の後方（直後）に位置し、第２内周壁３６に平行して羽根２９の径方向へ延びている。第２外周壁３８は、第１外周壁３７につながって第１外周壁３７の内端縁からダクト１２の先端部２０に向かい、空気合流スペース２５に達してダクト１２の先端部２０の周縁につながっている。なお、室内空気導入路２７の第１内周壁３５と第１外周壁３７との間、または、第２内周壁３６と第２外周壁３８との間に逆止弁が設置されていてもよい。逆止弁によってダクトから送風された空調空気の室内空気導入路２７から室内への逆流を防止する。
【００５０】
空調機１１（室外ユニットおよび室内ユニット１７）の稼働中では、ダクト１２を通った空調空気と吸気口３９から室内空気導入路２７に流入した室内空気とが空気合流スペース２５において合流し、空調空気と室内空気とが混合された混合空気が作られる。空調機１１の稼働中では、混合空気が給気ファン２４の羽根２９の回転によって吹き出し口３２（室１５の天井１６）から床２３（室内）に向かって給気され、室内空気導入路２７に流入した室内空気が吹き出し口３２（室１５の天井１６）から床２３（室内）に向かって繰り返し給気される。空調機１１の停止中では、吸気口３９から室内空気導入路２７を通った室内空気が空気合流スペース２５に流入し、その室内空気が羽根２９の回転によって吹き出し口３２（室１５の天井１６）から床２３（室内）に向かって繰り返し給気される。
【００５１】
脱臭具１４ａは、送風ユニット１３の空気合流スペース２５に着脱可能に設置されている。脱臭具１４ｂは、ダクト１２の先端部２０（ダクト１２の内部）に着脱可能に設置されている。脱臭具１４ａは、混合空気（空調空気および室内空気）や室内空気に含まれる不快な臭いや臭気成分を除去し、脱臭具１４ｂは、空調空気に含まれる不快な臭いや臭気成分を除去する。なお、脱臭具１４ａが送風ユニット１３の空気合流スペース２５と室内空気導入路２７とに着脱可能に設置されていてもよい。また、脱臭具１４ｂがダクト１２の基端部１８や中間部１９におけるダクト１２の内部に着脱可能に取り付けられていてもよく、ダクト１２に脱臭具１４ｂが取り付けられていなくてもよい。
【００５２】
脱臭具１４ａ，１４ｂは、平面形状が円形の所定面積の前面４０および平面形状が円形の所定面積の後面４１と、周り方向へ環状に延びる内周縁部４２および周り方向へ環状に延びる外周縁部４３と、内周縁部４２に囲繞された円形の中央開口４４とを有する。なお、前面４０や後面４１の平面形状は円形に制限されず、正方形や長方形、多角形、楕円形等の他の形状であってもよい。脱臭具１４ａ，１４ｂは、その前後面４０，４１と内外周面４２，４３との全域がフィルタ機能を有するエアフィルタ４５（通気性包装シート）に包被（包装）され、または、その前後面４０，４１と内外周面４２，４３との全域が複数の網目を有する通気性ネット４６（通気性包装シート）に包被（包装）されている。
【００５３】
脱臭具１４ａ，１４ｂの一例としては、活性炭粉末（図示せず）が塗布された軟質ポリウレタンフォーム４７から作られている。活性炭粉末は、所定のバインダー（接着剤）によってポリウレタンフォーム４７の壁面５０（脱臭具１４ａ，１４ｂの前後面４０，４１および後記する通気路４８）に固着されている。活性炭粉末が塗布されたポリウレタンフォーム４７は、連続気泡を有するとともに所定の厚みを有し、弾性変形可能かつ可撓性を有する。
【００５４】
軟質ポリウレタンフォーム４７の壁面５０に活性炭粉末を塗布（固着）する一例は、ポリウレタンフォーム４７の一方の面から他方の面に向かって空気を通流させつつ、活性炭粉末とバインダーとの混合塗料をポリウレタンフォーム４７の一方の面に吹き付け塗装し、その混合塗料を乾燥させる。ポリウレタンフォーム４７の壁面５０に活性炭粉末を塗布（固着）する他の一例は、活性炭粉末とバインダーとの混合塗料にポリウレタンフォーム４７をドブ付けし、その混合塗料を乾燥させる。活性炭粉末を塗布したポリウレタンフォーム４７では、ポリウレタンフォーム４７の壁面５０に活性炭粉末が積層され、ポリウレタンフォーム４７の壁面５０に活性炭の被覆層が形成される。
【００５５】
脱臭具１４ａ，１４ｂの他の一例としては、活性炭粉末を混入したフォーム原料を発泡させた軟質ポリウレタンフォーム４７から作られている。活性炭粉末を混入したフォーム原料を発泡させたポリウレタンフォーム４７では、ポリウレタンフォーム４７の壁面５０に活性炭が露出する。活性炭粉末を混入したポリウレタンフォーム４７は、連続気泡を有するとともに所定の厚みを有し、弾性変形可能かつ可撓性を有する。
【００５６】
軟質ポリウレタンフォーム４７には、トリレンジイソシアネートとポリエーテルポリオール等を原料とするポリエーテル系フォーム、または、トリレンジイソシアネートと分岐ポリエステルポリオール等を原料とするポリエステル系フォームが使用されている。ポリウレタンフォーム４７は、フォーム原料に気泡径の調整等に使用する添加剤を加え、水と発泡助剤とによって発泡が行われる。
【００５７】
活性炭粉末は、約３００〜５０００ｍ2／ｇの比表面積を有し、高い臭気吸着機能を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。フォーム原料に対する活性炭粉末の混合割合は、フォーム原料１００重量％に対して活性炭粉末８０〜１８０重量％、好ましくは、フォーム原料１００重量％に対して活性炭粉末１００〜１５０重量％である。
【００５８】
軟質ポリウレタンフォーム４７は、脱臭具１４ａ，１４ｂの前後面４０，４１間に存在する複数の通気路４８と、通気路４８につながって前後面４０，４１に開口する複数の通気口４９とを有する（図９参照）。それら通気路４８は、ポリウレタンフォーム４７の壁面５０に囲繞されてポリウレタンフォーム４７の内部に画成されている。ポリウレタンフォーム４７の壁面５０に活性炭粉末が塗布されている場合、通気路４８を画成する壁面５０に活性炭の被覆層が形成されている。ポリウレタンフォーム４７に活性炭粉末が混入されている場合、通気路４８を画成する壁面５０に活性炭が露出している。
【００５９】
それら通気路４８は、脱臭具１４ａ，１４ｂの前面４０と後面４１との間において脱臭具１４ａ，１４ｂ（ポリウレタンフォーム４７）の厚み方向へ不規則に曲折しながら延びているとともに、脱臭具１４ａ，１４ｂの内周縁部４２と外周縁部４３との間において脱臭具１４ａ，１４ｂ（ポリウレタンフォーム４７）の径方向へ不規則に曲折しながら延びている。径方向へ隣接して厚み方向へ曲折して延びるそれら通気路４８は径方向において部分的につながり、一方の通気路４８と他方の通気路４８とが互いに連通している。厚み方向へ隣接して径方向へ曲折して延びるそれら通気路４８は厚み向において部分的につながり、一方の通気路４８と他方の通気路４８とが互いに連通している。
【００６０】
それら通気路４８の開口面積（断面の大きさ）は、厚み方向に向かって一様ではなく、厚み方向に向かって不規則に変化しているとともに、径方向に向かって一様ではなく、径方向に向かって不規則に変化している。それら通気路４８は、その開口面積が大きくなったり、小さくなったりしながら厚み方向と径方向とへ不規則に開口している。また、通気路４８につながるそれら通気口４９は、その開口面積（大きさ）が一様ではなく、その開口面積が相違している。
【００６１】
軟質ポリウレタンフォーム４７（脱臭具１４ａ，１４ｂ）は、その厚み寸法が１０〜３０ｍｍの範囲、好ましくは、１０〜２０ｍｍの範囲にある。ポリウレタンフォーム４７の厚み寸法が１０ｍｍ未満では、ポリウレタンフォーム４７の壁面５０の比表面積を大きくすることができず、活性炭粉末を塗布したポリウレタンフォーム４７や活性炭粉末を混入したポリウレタンフォーム４７の臭気吸着機能を向上させることができない。ポリウレタンフォーム４７の厚み寸法が３０ｍｍを超過すると、ポリウレタンフォーム４７の空気抵抗が大きく、脱臭具１４ａ，１４ｂが給気ファン２４の羽根２９に流入する空気の抵抗になり、羽根２９に空気をスムーズに流入させることができない。
【００６２】
軟質ポリウレタンフォーム４７（脱臭具１４ａ，１４ｂ）は、その厚み寸法が前記範囲にあるから、ポリウレタンフォーム４７の壁面５０の比表面積を大きくすることができ、活性炭粉末を塗布したポリウレタンフォーム４７や活性炭粉末を混入したポリウレタンフォーム４７の臭気吸着機能を向上させることができ、送風ユニット１３に流入する空気（混合空気、空調空気、室内空気）に含まれる不快な臭いや臭気成分をポリウレタンフォーム４７に塗布された活性炭やポリウレタンフォーム４７に混入された活性炭に十分に吸着させることができる。また、ポリウレタンフォーム４７が給気ファン２４の羽根２９に流入する空気の抵抗になることはなく、羽根２９に空気（混合空気、空調空気、室内空気）をスムーズに流入させることができる。
【００６３】
軟質ポリウレタンフォーム４７（脱臭具１４ａ，１４ｂ）は、その質量が６０〜１００ｇの範囲にある。ポリウレタンフォーム４７の質量が前記範囲にあり、脱臭具１４ａ，１４ｂを軽量にすることができるから、脱臭具１４ａ，１４ｂを空気合流スペース２５や室内空気導入路２７、ダクト１２に容易に取り付けることができるとともに、脱臭具１４ａ，１４ｂを空気合流スペース２５や室内空気導入路２７、ダクト１２から容易に取り外すことができ、脱臭具１４ａ，１４ｂの設置作業や交換作業を容易に行うことができる。
【００６４】
軟質ポリウレタンフォーム４７（脱臭具１４ａ，１４ｂ）は、その面速が３０〜６０ｃｍ／ｓｅｃの範囲、好ましくは、３５〜４５ｃｍ／ｓｅｃの範囲にある。ポリウレタンフォーム４７の面速が３０ｃｍ／ｓｅｃ未満では、空気（混合空気、空調空気、室内空気）がポリウレタンフォーム４７をスムーズに通流することができず、ポリウレタンフォーム４７が給気ファン２４の羽根２９に流入する空気の抵抗になり、羽根２９に空気をスムーズに流入させることができない。ポリウレタンフォーム４７の面速が６０ｃｍ／ｓｅｃを超過すると、空気（混合空気、空調空気、室内空気）がポリウレタンフォーム４７の通気路４８を素早く通過し、ポリウレタンフォーム４７の壁面５０に空気を十分に接触させることができず、空気に含まれる臭いや臭気成分をポリウレタンフォーム４７に塗布された活性炭やポリウレタンフォーム４７に混入された活性炭に十分に吸着させることができない。
【００６５】
脱臭具１４ａ，１４ｂは、ポリウレタンフォーム４７の面速が前記範囲にあるから、脱臭具１４ａ，１４ｂが給気ファン２４の羽根２９に流入する空気（混合空気、空調空気、室内空気）の抵抗になることはなく、羽根２９に空気をスムーズに流入させることができる。また、空気（混合空気、空調空気、室内空気）がポリウレタンフォーム４７の通気路４８を素早く通過することはなく、ポリウレタンフォーム４７の壁面５０に空気を十分に接触させることができ、空気に含まれる臭いや臭気成分をポリウレタンフォーム４７に塗布された活性炭やポリウレタンフォーム４７に混入された活性炭に十分かつ確実に吸着させることができる。
【００６６】
エアフィルタ４５には、粗塵用フィルタ、２５μｍ以上の粒子を捕集する中高性能フィルタ、０．３μｍ以上の粒子を捕集するＨＥＰＡフィルタ、ＵＬＰＡフィルタのうちのいずれかが使用されている。なお、中高性能フィルタまたはＨＥＰＡフィルタを使用することが好ましい。エアフィルタ４５は、エレクトレット化されていることが好ましいが、エレクトレット化されていなくてもよい。エアフィルタ４５をエレクトレット化する一例としては、エレクトレット処理装置を利用し、針状電極と電極との距離を２５ｍｍとし、印可電圧を２５ｋｖとするとともに、処理温度を８０℃としてエレクトレット処理を行う。通気性ネット４６には、メッシュ数が１０メッシュ（１００×１００メッシュ）や１２メッシュ（１２０×１２０メッシュ）、２４メッシュ（２４０×２４０メッシュ）、３２メッシュ（３２０×３２０メッシュ）等を使用することができる。
【００６７】
脱臭具１４ａ，１４ｂの前面４０の全域がエアフィルタ４５（通気性包装シート）に包被（包装）され、脱臭具１４ａ，１４ｂの後面４１の全域が通気性ネット４６（通気性包装シート）に包被（包装）されていてもよい。また、脱臭具１４ａ，１４ｂの後面４１の全域がエアフィルタ４５に包被され、脱臭具１４ａ，１４ｂの前面４０の全域が通気性ネット４６に包被されていてもよい。脱臭具１４ａ，１４ｂがエアフィルタ４５に包被されている場合、空気（混合空気、空調空気、室内空気）がエアフィルタ４５を通流するときに空気に含まれる微細な塵埃や花粉、ＰＭ２．５、雑菌等の不純物がエアフィルタ４５に捕集される。脱臭具１４ａ，１４ｂが通気性ネット４６に包被されている場合、空気（混合空気、空調空気、室内空気）が通気性ネット４６を通流するときに空気に含まれる塵埃がネット４６に捕集される。
【００６８】
エアフィルタ４５（通気性包装シート）や通気性ネット４６（通気性包装シート）は、脱臭具１４ａ，１４ｂ（ポリウレタンフォーム４７）の内周縁部４２から径方向内方へ延びる部分が縫製され、または、熱融着（ソニックシールやヒートシール）によって固着され、脱臭具１４ａ，１４ｂの外周縁部４３から径方向外方へ延びる部分が縫製され、または、熱融着（ソニックシールやヒートシール）によって固着されている。脱臭具１４ａ，１４ｂは、エアフィルタ４５（通気性包装シート）や通気性ネット４６に包被された状態で支持フレーム５１に支持されている。
【００６９】
支持フレーム５１は、プラスチック板や金属板から作られ、エアフィルタ４５（通気性包装シート）や通気性ネット４６（通気性包装シート）の外側に位置している。支持フレーム５１は、脱臭具脱臭具１４ａ，１４ｂの内周縁部４２を支持する内周枠５２と、脱臭具１４ａ，１４ｂの外周縁部４３を支持する外周枠５３と、脱臭具１４ａ，１４ｂの前後面４０，４１に位置し、内周枠５２と外周枠５３とに繋がって径方向へ直状に延びる連結枠５４とを有する。支持フレーム５１では、内周枠５２と外周枠５３と連結枠５４とが一体成形されている。
【００７０】
脱臭具１４ａにおける支持フレーム５１の内周枠５２は、脱臭具１４ａの内周縁部４２において周り方向へ環状に延びているとともに、脱臭具１４ａの内周縁部４２を前面４０から後面４１に向かって包み込むように延びている。脱臭具１４ｂにおける支持フレーム５１の内周枠５２は、円形に成形され、脱臭具１４ｂの中央開口４４を塞いでいるとともに、脱臭具１４ｂの内周縁部４２を前面４０から後面４１に向かって包み込むように延びている。支持フレーム５１の外周枠５３は、脱臭具１４ａ，１４ｂの外周縁部４３において周り方向へ環状に延びているとともに、脱臭具１４ａ，１４ｂの外周縁部４３を前面４０から後面４１に向かって包み込むように延びている。
【００７１】
空気合流スペース２５に設置された脱臭具１５ａは、その外周縁部４３が固定手段（メカニカルファスナまたは固定金具等（図示せず））を介して室内空気導入路２７の第２内周壁３６に着脱可能に取り付けられ、その内周縁部４２が固定手段（メカニカルファスナまたは固定金具等）を介してモーターケース２８の外周面に着脱可能に取り付けられている。
【００７２】
メカニカルファスナを利用して脱臭具１５ａを空気合流スペース２５（室内空気導入路２７およびモーターケース２８）に固定する場合、メカニカルファスナうちの雄ファスナ（フック部材）または雌ファスナ（ループ部材）のいずれか一方を脱臭具１５ａの外周縁部４３（支持フレーム５１の外周枠５３）および内周縁部４２（支持フレーム５１の内周枠５２）に取り付け、雄ファスナまたは雌ファスナのいずれか他方を室内空気導入路２７の第２内周壁３８およびモーターケース２８の外周面に取り付け、それらファスナどうしを係合させる。固定金具を利用して脱臭具１５ａを空気合流スペース２５（室内空気導入路２７およびモーターケース２８）に固定する場合、環状の固定金具を脱臭具１５ａの外周縁部４３（支持フレーム５１の外周枠５３）および内周縁部４２（支持フレーム５１の内周枠５２）に取り付け、それら固定金具をビスによって室内空気導入路２７の第２内周壁３８およびモーターケース２８の外周面に取り付ける。
【００７３】
ダクト１２の先端部２０に設置された脱臭具１５ｂは、その外周縁部４３が固定手段（メカニカルファスナまたは固定金具等）を介してダクト１２の内周壁に着脱可能に取り付けられている。メカニカルファスナを利用して脱臭具１５ｂをダクト１２に固定する場合、メカニカルファスナうちの雄ファスナまたは雌ファスナのいずれか一方を脱臭具１５ｂの外周縁部４３（支持フレーム５１の外周枠５３）に取り付け、雄ファスナまたは雌ファスナのいずれか他方をダクト１２の内周壁に取り付け、それらファスナどうしを係合させる。固定金具を利用して脱臭具１５ｂをダクト１２に固定する場合、環状の固定金具を脱臭具１５ｂの外周縁部４３（支持フレーム５１の外周枠５３）に取り付け、その固定金具をビスによってダクト１２の内周壁に固定する。
【００７４】
図１１は、空調設備１０Ａにおける空気の流れの一例を説明する送風ユニット１３の側面図である。図１１では、脱臭具１４ａ，１４ｂを断面で示す。空調設備１０Ａを稼動させる（空調機１１（室外ユニットおよび室内ユニット１７）を稼働させるとともに送風ユニット１３の給気ファン２４を稼働させる）と、図１１に矢印Ｌ１で示すように、空調機１１によって作られた空調空気（煖房空気、冷房空気、除湿空気、加湿空気、加湿煖房空気、除湿冷房空気等）が室内ユニット１７からダクト１２を通り、送風ユニット１３の空気合流スペース２５に流入する。給気ファン２４のモーターによって羽根２９が回転し、その羽根２９の回転によって空気合流スペース２５に流入した空調空気が空気合流スペース２５を通って羽根２９に流入し、空調空気が羽根２９の前方へ送風される。空調空気は、送風ユニット１３の吹き出し口３２のガラリ３４を通過して室１５の天井１６から床２３（室内）に向かって給気される。なお、室内ユニット１７では、空調空気がユニット１７のベーン（吹き出し口）から給気され、室内空気がユニット１７の吸込グリルからユニット１７の内部に流入する。
【００７５】
室１５の室内に給気された空調空気は室内を煖房、冷房、除湿した後、室内空気となる。室内に存在する室内空気（空調空気）は、給気ファン２４の羽根２９の回転によって室内空気導入路２７に吸引される。室内空気は、図１１に矢印Ｌ２で示すように、吸気口３９から室内空気導入路２７に流入し、室内空気導入路２７を通って空気合流スペース２５に流入する。空調機１１によって作られた空調空気と室内空気導入路２７に流入した室内空気とが空気合流スペース２５において合流し、空調空気と室内空気とが空気合流スペース２５において混合されて空調空気と室内空気との混合空気が作られる。
【００７６】
混合空気は、給気ファン２４によって室１５の天井１６から床２３（室内）に向かって給気される。送風ユニット１３では、吸気口３９から室内空気導入路２７に流入した室内空気が空気合流スペース２５に流入し、その室内空気と空調空気とが混合されて混合空気となり、混合空気に含まれる室内空気が羽根２９の回転によって室２５の天井１６から床２３（室内）に向かって繰り返し給気されるとともに、室内空気導入路２７に流入して空気合流スペース２５に繰り返し流入する。
【００７７】
ダクト１２を通る空調空気は、ダクト１２の先端部２０に設置された脱臭具１５ｂを通流する。ダクト１２の脱臭具１５ｂを通流する空調空気は、脱臭具１５ｂを包被するエアフィルタ４５または通気性ネット４６を通過し、軟質ポリウレタンフォーム４７の通気口４９から通気路４８に進入した後、通気路４８を通ってポリウレタンフォーム４７の通気口４９から流出する。空調機１１から供給された空調空気がエアフィルタ４５を通過するときに、空調空気に含まれる微細な不純物（塵埃を含む）がエアフィルタ４５に捕集され、空調空気が通気性ネット４６を通過するときに、空調空気に含まれる塵埃が通気性ネット４６に捕集される。さらに、空調機１１から供給された空調空気が脱臭具１５ｂを通流するときに、空調空気に含まれる不快な臭いや臭気成分が脱臭具１５ｂによって除去される。
【００７８】
具体的にダクト１２の先端部２０に設置された脱臭具１５ｂでは、軟質ポリウレタンフォーム４７の内部において厚み方向と径方向とへ不規則に曲折して延びる通気路４８の壁面５０に空調空気が接触（衝突）し、空調空気に含まれる不快な臭い（カビ臭や生活臭、たばこ臭、ノネナール臭等）や臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）が通気路４８に形成された活性炭粉末の被覆層や通気路４８に露出する活性炭粉末に吸着され、不快な臭いや臭気成分が除去された清浄な空調空気が作られる。
【００７９】
空気合流スペース２５において作られた混合空気（ダクト１２を通る空調空気および室内空気導入路２７に流入した室内空気）は、空気合流スペース２５に設置された脱臭具１５ａを通流する。なお、混合空気のうちの室内空気は、室内空気導入路２７を通って脱臭具１５ａを繰り返し通流する。空気合流スペース２５の脱臭具１５ａを通流する混合空気は、脱臭具１５ａを包被するエアフィルタ４５または通気性ネット４６を通過し、軟質ポリウレタンフォーム４７の通気口４９から通気路４８に進入した後、通気路４８を通ってポリウレタンフォーム４７の通気口４９から流出する。空気合流スペース２５において作られた混合空気がエアフィルタ４５を通過するときに、混合空気に含まれる微細な不純物（塵埃を含む）がエアフィルタ４５に捕集され、混合空気が通気性ネット４６を通過するときに、混合空気に含まれる塵埃が通気性ネット４６に捕集される。さらに、空気合流スペース２５において作られた混合空気が脱臭具１５ａを通流するときに、混合空気に含まれる不快な臭いや臭気成分が脱臭具１５ａによって除去される。
【００８０】
具体的に空気合流スペース２５に設置された脱臭具１５ａでは、軟質ポリウレタンフォーム４７の内部において厚み方向と径方向とへ不規則に曲折して延びる通気路４８の壁面５０に混合空気が接触（衝突）し、混合空気に含まれる不快な臭い（カビ臭や生活臭、たばこ臭、ノネナール臭等）や臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）が通気路４８に形成された活性炭粉末の被覆層や通気路４８に露出する活性炭粉末に吸着され、不快な臭いや臭気成分が除去された清浄な混合空気が作られる。
【００８１】
図１２は、空調設備１０Ａにおける空気の流れの他の一例を説明する送風ユニット１３の側面図である。図１２では、脱臭具１４ａ，１４ｂを断面で示す。空調機１１（室外ユニットおよび室内ユニット１７）を停止させ、送風ユニット１３の給気ファン２４を稼働させると、図１２に矢印Ｌ２で示すように、室１５の室内に存在する室内空気が給気ファン２４の羽根２９の回転によって室内空気導入路２７に吸引される。なお、ダクト１２から空調空気は供給されていない。室内空気は、吸気口３９から室内空気導入路２７に流入し、室内空気導入路２７を通って空気合流スペース２５に流入した後、給気ファン２４によって室１５の天井１６から床２３（室内）に向かって再び給気される。送風ユニット１３では、吸気口３９から室内空気導入路２７に流入した室内空気が羽根２９の回転によって室１５の天井１６から床２３（室内）に向かって繰り返し給気される。
【００８２】
室内空気は、空気合流スペース２５に設置された脱臭具１５ａを繰り返し通流する。空気合流スペース２５の脱臭具１５ａを通流する室内空気は、脱臭具１５ａを包被するエアフィルタ４５または通気性ネット４６を通過し、軟質ポリウレタンフォーム４７の通気口４９から通気路４８に進入した後、通気路４８を通ってポリウレタンフォーム４７の通気口４９から流出する。室内空気がエアフィルタ４５を通過するときに、室内空気に含まれる微細な不純物（塵埃を含む）がエアフィルタ４５に捕集され、室内空気が通気性ネット４６を通過するときに、室内空気に含まれる塵埃が通気性ネット４６に捕集される。さらに、室内空気が脱臭具１５ａを通流するときに、室内空気に含まれる不快な臭いや臭気成分が脱臭具１５ａによって除去される。
【００８３】
室内空気は、軟質ポリウレタンフォーム４７の内部において厚み方向と径方向とへ不規則に曲折して延びる通気路４８の壁面５０に接触（衝突）し、室内空気に含まれる不快な臭いや臭気成分が通気路４８に形成された活性炭粉末の被覆層や通気路４８に露出する活性炭粉末に吸着され、不快な臭いや臭気成分が除去された清浄な室内空気が作られる。
【００８４】
空調設備１０Ａは、ダクト１２に脱臭具１５ｂが設置され、空調機１１によって作られた煖房空気や冷房空気、除湿空気、加湿空気、加湿煖房空気、除湿冷房空気等の空調空気がダクト１２の脱臭具１５ｂを通流することで、空調空気に含まれる不快な臭いや臭気成分がその脱臭具１５ｂによって除去されるから、脱臭具１５ｂを利用して不快な臭いや臭気成分を除去した清浄な空調空気を作ることができ、清浄な空調空気を室１５の室内へ給気することができる。
【００８５】
空調設備１０Ａは、空調機１１によって作られた空調空気と室内空気導入路２７に流入した室内空気とが空気合流スペース２５において混合されて空調空気と室内空気との混合空気が作られ、その混合空気が空気合流スペース２５に設置された脱臭具１５ａを繰り返し通流することで、混合空気（空調空気および室内空気）に含まれる不快な臭いや臭気成分が脱臭具１５ａによって除去されるから、不快な臭いや臭気成分を除去した清浄な混合空気を作ることができ、その清浄な混合空気を室１５の室内に給気することができるとともに、室内の空気を清浄に保持することができる。
【００８６】
空調設備１０Ａは、室内空気導入路２７に流入した室１５の室内空気が脱臭具１５ａを通流した後、室内に給気され、再び室内空気導入路２７に流入して脱臭具１５ａを通流することで、室内空気が脱臭具１５ａを繰り返し通流（循環）するから、室内空気が脱臭具１５ａによって次第に浄化され、給気ファン２４を長時間稼働させることによって脱臭着１５ａの脱臭機能を十分に発揮させることができ、室内空気に含まれる不快な臭いや臭気成分を確実に除去することができる。
【００８７】
図１３は、他の一例として示す空調設備１０Ｂの構成図であり、図１４は、空調設備１０Ｂの上面図である。図１３では、空調設備１０Ｂを施設した室を側方から示す。この空調設備１０Ｂが図１のそれと異なるところは、１台の空調機１１（室内ユニット１７）に２本（複数本）のダクト１２ａ，１２ｂが連接され、各ダクト１２ａ，１２ｂに連結された複数の送風ユニット１３ａ，１３ｂが各室１５ａ，１５ｂに設置されている点にあり、その他の構成は図１の空調設備１０Ａのそれらと同一であるから、図１と同一の符号を付すとともに、図１の空調設備１０Ａの説明を援用することで、この空調設備１０Ｂにおけるその他の構成の詳細な説明は省略する。
【００８８】
空調設備１０Ｂは、室外ユニットおよび室内ユニット１７から形成された１台の空調機１１と、室内ユニット１７に連結された２本のダクト１２ａ，１２ｂと、それらダクト１２ａ，１２ｂに連結された２台の送風ユニット１３ａ，１３ｂと、脱臭具１４ａ，１４ｂとから形成されている。空調設備１０Ｂでは、１台の室内ユニット１７（空調機１１）に２本（複数本）のダクト１２ａ，１２ｂが連接され、各ダクト１２ａ，１２ｂに連結された送風ユニット１３ａ，１３ｂが２つ（複数）の室１５ａ，１５ｂの各室毎に設置されている。空調設備１０Ｂでは、それら送風ユニット１３ａ，１３ｂが混合空気（空調空気および室内空気）または室内空気を各室１５ａ，１５ｂの室内に給気する。
【００８９】
なお、図１２，１３では、２つの室１５ａ，１５ｂを図示しているが、室１５の数に特に制限はなく、３つ以上の室１５に送風ユニット１３を設置し、３つ以上の室１５において空調設備１０Ｂを利用することができる。また、図１２，１３では、各室１５ａ，１５ｂに１台の送風ユニット１３ａ，１３ｂが設置される場合を図示しているが、各室１５ａ，１５ｂに２台以上の送風ユニット１３が設置され、それら送風ユニット１３がダクト１２を介して室内ユニット１７に接続されていてもよい。さらに、図１２，１３では、１台の室内ユニット１７（空調機１１）を図示しているが、室内ユニット１７（空調機１１）が２台以上設置され、各室内ユニット１７（空調機１１）に複数のダクト１２が連接されるとともに、それらダクト１２に複数の送風ユニット１３が連接されていてもよい。
【００９０】
それらダクト１２ａ，１２ｂは、その基端部１８が室内ユニット１７に気密に接続され、その先端部２０が送風ユニット１３ａ，１３ｂに気密に接続されている。それらダクト１２ａ，１２ｂは、室内ユニット１７と送風ユニット１３ａ，１３ｂとを連結し、空調機１１によって作られた空調空気を室内ユニット１７からそれら送風ユニット１３ａ，１３ｂに搬送する。それら送風ユニット１３ａ，１３ｂは、各室１５ａ，１５ｂの天井１６に設置され、各室１５ａ，１５ｂの天井１６から床２３（室内）に向かって混合空気（空調空気および室内空気）または室内空気を送風する。
【００９１】
それら送風ユニット１３ａ，１３ｂは、給気ファン２４と、空気合流スペース２５および空気給気スペース２６と、給気ファン２４の外側近傍に画成された室内空気導入路２７とを有する。給気ファン２４や空気合流スペース２５、空気給気スペース２６、室内空気導入路２７は、図１の空調設備１０Ａの送風ユニット１３のそれらと同一であるから、図１の空調設備１０Ａにおける送風ユニット１３におけるそれらの説明を援用することで、それらの説明は省略する。
【００９２】
脱臭具１４ａは、各送風ユニット１３ａ，１３ｂの空気合流スペース２５に着脱可能に設置され、脱臭具１４ｂは、各ダクト１２ａ，１２ｂの先端部２０（ダクト１２ａ，１２ｂの内部）に着脱可能に設置されている。それら脱臭具１４ａ，１４ｂは、混合空気（空調空気および室内空気）や室内空気に含まれる不快な臭いや臭気成分を除去する。なお、脱臭具１４ｂが各ダクト１２ａ，１２ｂの基端部１８や中間部１９におけるダクト１２ａ，１２ｂの内部に着脱可能に取り付けられていてもよく、各ダクト１２ａ，１２ｂに脱臭具１４ｂが取り付けられていなくてもよい。また、脱臭具１４ａがそれら送風ユニット１３ａ，１３ｂの空気合流スペース２５と室内空気導入路２７とに着脱可能に設置されていてもよい。
【００９３】
それら脱臭具１４ａ，１４ｂは、図１の空調設備１０Ａに使用されたそれと同一であるから、図１の空調設備１０Ａにおける脱臭具１４の説明を援用することで、その説明は省略する。なお、図１の空調設備１０Ａと同様に、室内空気導入路２７の第１内周壁３５と第１外周壁３７との間、または、第２内周壁３６と第２外周壁３８との間に逆止弁が設置されていてもよい。
【００９４】
図１１を援用し、空調設備１０Ｂにおける空気の流れの一例を説明すると以下のとおりである。なお、図１１において送風ユニット１３を送風ユニット１３ａ，１３ｂとする。空調設備１０Ｂを稼動させる（空調機１１（室外ユニットおよび室内ユニット１７）を稼働させるとともに各送風ユニット１３ａ，１３ｂの給気ファン２４を稼働させる）と、空調機１１によって作られた空調空気（煖房空気、冷房空気、除湿空気、加湿空気、加湿煖房空気、除湿冷房空気等）が室内ユニット１７から各ダクト１２ａ，１２ｂを通り、各室１５ａ，１５ｂに設置された送風ユニット１３ａ，１３ｂに流入する。空調空気は、給気ファン２４の羽根２９の回転によって送風ユニット１３ａ，１３ｂの空気合流スペース２５に流入するとともに、空気合流スペース２５から羽根２９に流入し、空気給気スペース２６を通って羽根２９の前方へ送風される。空調空気は、それら送風ユニット１３ａ，１３ｂの吹き出し口３２のガラリ３４を通過して各室１５ａ，１５ｂの天井１６から床２３（室内）に向かって給気される。
【００９５】
各室１５ａ，１５ｂの室内に給気された空調空気は室内を煖房、冷房、除湿した後、室内空気となる。室内に存在する室内空気（空調空気）は、給気ファン２４の羽根２９の回転によって室内空気導入路２７に吸引される。室内空気は、吸気口３９から室内空気導入路２８に流入し、室内空気導入路２７を通って空気合流スペース２５に流入する。空調機１１によって作られた空調空気と室内空気導入路２７に流入した室内空気とが空気合流スペース２５において合流し、空調空気と室内空気とが空気合流スペース２５において混合されて空調空気と室内空気との混合空気が作られる。
【００９６】
混合空気は、給気ファン２４によって各室１５ａ，１５ｂの天井１６から床２３（室内）に向かって給気される。それら送風ユニット１３ａ，１３ｂでは、吸気口３９から室内空気導入路２７に流入した室内空気が空気合流スペース２５に流入し、その室内空気と空調空気とが混合されて混合空気となり、混合空気に含まれる室内空気が羽根２９の回転によって各室１５ａ，１５ｂの天井１６から床２３（室内）に向かって繰り返し給気される。
【００９７】
各ダクト１２ａ，１２ｂを通る空調空気は、それらダクト１２ａ，１２ｂの先端部２０に設置された脱臭具１４ｂを通流する。ダクト１２ａ，１２ｂの脱臭具１４ｂを通流する空調空気は、脱臭具１４ｂを包被するエアフィルタ４５または通気性ネット４６を通過し、軟質ポリウレタンフォーム４７の通気口４９から通気路４８に進入した後、通気路４８を通ってポリウレタンフォーム４７の通気口４９から流出する。
【００９８】
空調機１１から供給された空調空気がエアフィルタ４５を通過するときに、空調空気に含まれる微細な不純物（塵埃を含む）がエアフィルタ４５に捕集され、空調空気が通気性ネット４６を通過するときに、空調空気に含まれる塵埃が通気性ネット４６に捕集される。さらに、空調機１１から供給された空調空気が脱臭具１４ｂを通流するときに、空調空気に含まれる不快な臭いや臭気成分が脱臭具１４ｂによって除去される。
【００９９】
それらダクト１２ａ，１２ｂの先端部２０に設置された脱臭具１４ｂでは、軟質ポリウレタンフォーム４７の内部において厚み方向と径方向とへ不規則に曲折して延びる通気路４８の壁面５０に空調空気が接触（衝突）し、空調空気に含まれる不快な臭いや臭気成分が通気路４８に形成された活性炭粉末の被覆層や通気路４８に露出する活性炭粉末に吸着され、不快な臭いや臭気成分が除去された清浄な空調空気が作られる。
【０１００】
各送風ユニット１３ａ，１３ｂの空気合流スペース２５において作られた混合空気（それらダクト１２ａ，１２ｂを通る空調空気および室内空気導入路２７に流入した室内空気）は、空気合流スペース２５に設置された脱臭具１４ａを通流する。なお、混合空気のうちの室内空気は、脱臭具１４ａを繰り返し通流する。空気合流スペース２５の脱臭具１４ａを通流する混合空気は、脱臭具１４ａを包被するエアフィルタ４５または通気性ネット４６を通過し、軟質ポリウレタンフォーム４７の通気口４９から通気路４８に進入した後、通気路４８を通ってポリウレタンフォーム４７の通気口４９から流出する。
【０１０１】
空気合流スペースにおいて作られた混合空気がエアフィルタ４５を通過するときに、混合空気に含まれる微細な不純物（塵埃を含む）がエアフィルタ４５に捕集され、混合空気が通気性ネット４６を通過するときに、混合空気に含まれる塵埃が通気性ネット４６に捕集される。さらに、空気合流スペース２５において作られた混合空気が脱臭具１４ａを通流するときに、混合空気に含まれる不快な臭いや臭気成分が脱臭具１４ａによって除去される。
【０１０２】
空気合流スペース２５に設置された脱臭具１４ａでは、軟質ポリウレタンフォーム４７の内部において厚み方向と径方向とへ不規則に曲折して延びる通気路４８の壁面５０に混合空気が接触（衝突）し、混合空気に含まれる不快な臭いや臭気成分が通気路４８に形成された活性炭粉末の被覆層や通気路４８に露出する活性炭粉末に吸着され、不快な臭いや臭気成分が除去された清浄な混合空気が作られる。
【０１０３】
図１２を援用し、空調設備１０Ｂにおける空気の流れの他の一例を説明すると以下のとおりである。なお、図１２において送風ユニット１３を送風ユニット１３ａ，１３ｂとする。空調機１１（室外ユニットおよび室内ユニット１７）を停止させ、送風ユニット１３ａ，１３ｂの給気ファン２４を稼働させると、各室１５ａ，１５ｂの室内に存在する室内空気（混合空気）が給気ファン２４の羽根２９の回転によって室内空気導入路２７に吸引される。室内空気は、吸気口３９から室内空気導入路２７に流入し、室内空気導入路２７を通って空気合流スペース２５に流入した後、給気ファン２４によって各室１５ａ，１５ｂの天井１６から床２３（室内）に向かって再び給気される。それら送風ユニット１３ａ，１３ｂでは、吸気口３９から室内空気導入路２７に流入した室内空気が羽根２９の回転によって室１５ａ，１５ｂの天井１６から床２３（室内）に向かって繰り返し給気される。
【０１０４】
室内空気は、それら送風ユニット１３ａ，１３ｂの空気合流スペース２５に設置された脱臭具１４ａを繰り返し通流する。空気合流スペース２５の脱臭具１４ａを通流する室内空気は、脱臭具１４ａを包被するエアフィルタ４５または通気性ネット４６を通過し、軟質ポリウレタンフォーム４７の通気口４９から通気路４８に進入した後、通気路４８を通ってポリウレタンフォーム４７の通気口４９から流出する。室内空気がエアフィルタ４５を通過するときに、室内空気に含まれる微細な不純物（塵埃を含む）がエアフィルタ４５に捕集され、室内空気が通気性ネット４６を通過するときに、室内空気に含まれる塵埃が通気性ネット４６に捕集される。さらに、室内空気が脱臭具１４ａを通流するときに、室内空気に含まれる不快な臭いや臭気成分が脱臭具１４ａによって除去される。
【０１０５】
室内空気は、軟質ポリウレタンフォーム４７の内部において厚み方向と径方向とへ不規則に曲折して延びる通気路４８の壁面５０に接触（衝突）し、室内空気に含まれる不快な臭いや臭気成分が通気路４８に形成された活性炭粉末の被覆層や通気路４８に露出する活性炭粉末に吸着され、不快な臭いや臭気成分が除去された清浄な室内空気が作られる。
【０１０６】
なお、空調設備１０Ｂの室内ユニット１７では、ダクト１２ａ，１２ｂのうちの一方のダクト１２ａ，１２ｂのみに空調空気を供給し、他方のダクト１２ａ，１２ｂに空調空気を供給しないこともできる。この場合、空調空気が供給される室１５ａ，１５ｂでは、混合空気が給気ファン２４によって天井１６から床２３（室内）に向かって給気される。送風ユニット１３ａ，１３ｂでは、吸気口３９から室内空気導入路２７に流入した室内空気が空気合流スペース２５に流入し、その室内空気と空調空気とが混合されて混合空気となり、混合空気に含まれる室内空気が羽根２９の回転によって各室１５ａ，１５ｂの天井１６から床２３（室内）に向かって繰り返し給気される。
【０１０７】
空調空気が供給されない室１５ａ，１５ｂでは、室内空気が給気ファン２４によって天井１６から床２３（室内）に向かって給気される。送風ユニット１３ａ，１３ｂでは、室内空気が給気ファン２４によって室１５ａ，１５ｂの天井１６から床２３（室内）に向かって給気される。送風ユニット１３ａ，１３ｂでは、吸気口３９から室内空気導入路２７に流入した室内空気が空気合流スペース２５に流入し、室内空気が羽根２９の回転によって各室１５ａ，１５ｂの天井１６から床２３（室内）に向かって繰り返し給気される。
【０１０８】
この空調設備１０Ｂは、図１の空調設備１０Ａが有する効果に加え、以下の効果を有する。空調設備１０Ｂは、１台の室内ユニット１７（空調機１１）に２本（複数本）のダクト１２ａ，１２ｂが連接され、各ダクト１２ａ，１２ｂに連結された送風ユニット１３ａ，１３ｂが別の２つ（複数）の室１５ａ，１５ｂの各室１５ａ，１５ｂ毎に設置され、それら送風ユニット１３ａ，１３ｂが混合空気を各室１５ａ，１５ｂに給気するから、１台の空調機１１（室外ユニットおよび室内ユニット１７）によって作られた空調空気を各ダクト１２ａ，１２ｂを利用して各室１５ａ，１５ｂに送り、各室１５ａ，１５ｂに設置された送風ユニット１３ａ，１３ｂから空調空気をそれら室１５ａ，１５ｂの室内に給気することができ、各室１５ａ，１５ｂ毎に対応する空調機１１を設置する必要はなく、複数台の空調機１１（室外ユニットおよび室内ユニット１７）を利用する場合と比較し、空調機１１において消費される電力を最小限にすることができ、空調設備１０Ｂにおいて消費されるエネルギーを少なくすることができる。
【０１０９】
空調設備１０Ｂは、混合空気（各室１５ａ，１５ｂに給気される空調空気および各室１５ａ，１５ｂの室内空気）に含まれる不快な臭いや臭気成分が各送風ユニット１３ａ，１３ｂの脱臭具１４ａと各ダクト１２ａ，１２ｂの脱臭具１４ｂととによって除去されるから、臭いや臭気成分が除去された清浄な空気を各室１５ａ，１５ｂに給気することができ、各室１５ａ，１５ｂの室内の空気を清浄に保持することができる。
【０１１０】
図１５は、脱臭具１４ａ，１４ｂの脱臭機能の測定手順を説明する図であり、図１６は、図１５から続く脱臭具１４ａ，１４ｂの脱臭機能の測定手順を説明する図である。ファン（図示せず）を備えた試験用ダクト６０の内部（内周面）に脱臭具１４ａ，１４ｂを気密に取り付け、脱臭具１４ａ，１４ｂに対してガス検知管法による臭気ガスの脱臭機能（臭気吸着機能）の測定を行った。測定に使用した測定ボックス６１は、透明なアクリルによって作られた６面体（立方体）であり、各辺の長さＬ１，Ｌ２，Ｌ３が１ｍであってその体積が１ｍ３である。第１測定として脱臭具１４ａ，１４ｂを取り付けた試験用ダクト６０を使用し（中央開口４３を塞いだ脱臭具１４ａを取り付けた試験用ダクトおよび脱臭具１４ａを取り付けた試験用ダクトの２種類で試験）、第２測定として脱臭具１４ａ，１４ｂを設置していない試験用ダクト６０を使用した。さらに、第３測定として脱臭具１４ａ，１４ｂや試験用ダクト６０を使用しない空測定を行った。
【０１１１】
ガス検知管法による第１測定では、脱臭具１４ａ，１４ｂを試験用ダクト６０に取り付けた後、その試験用ダクト６０と攪拌ファン（図示せず）とを図１５，１６に示す測定ボックス６１の内部に収容した。次に、攪拌ファンを稼働させ（風量：微風）、設定したガス濃度となるように、測定ボックス６１の内部にガス検知管６２（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。攪拌ファンを停止させるとともに、脱臭具１４ａ，１４ｂを設置した試験用ダクト６０のファンを稼働させ（風量：微風）、経過時間毎に測定ボックス６１の内部のガス濃度をガス検知管６２を使用して測定した。
【０１１２】
ガス検知管法による第２測定では、脱臭具１４ａ，１４ｂを取り付けていない試験用ダクト６０と攪拌ファン（図示せず）とを測定ボックス６１の内部に収容した。次に、攪拌ファンを稼働させ（風量：微風）、設定したガス濃度となるように、測定ボックス６１の内部にガス検知管６２（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。攪拌ファンを停止させるとともに、試験用ダクト６０のファンを稼働させ（風量：微風）、経過時間毎に測定ボックス６１の内部のガス濃度をガス検知管６２を使用して測定した。
【０１１３】
ガス検知管法による第３測定では、脱臭具１４ａ，１４ｂおよび試験用ダクト６０を測定ボックス６１の内部に収容せず（測定ボックス６１の内部が空の状態）、攪拌ファン（図示せず）のみを測定ボックス６１の内部に収容した。次に、攪拌ファンを稼働させ（風量：微風）、設定したガス濃度となるように、測定ボックス６１の内部にガス検知管６２（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。攪拌ファンを稼働させたまま、経過時間毎に測定ボックスの内部のガス濃度をガス検知管を使用して測定した。
【０１１４】
図１７は、アンモニアに対する測定結果を示す図である。測定用のアンモニアガスには、アンモニア水（２８％、特級）（小宗化学薬品株式会社）から発生させたアンモニアガスを使用した。アンモニアに対する測定条件は、アンモニア（初期ガス濃度：約３０ppm）、温度条件（室温）、測定時間（０分、１０分、３０分、１時間、３時間、６時間、ただし、測定値が定量下限（１ppm）未満になった時点で終了）である。
【０１１５】
図１７に示すように、経過時間０分において第１〜第３測定ではアンモニアガスの濃度が３０ppmであったが、１時間経過後において第１測定ではアンモニアガスの濃度が１８ppmに低下し、３時間経過後において第１測定ではアンモニアガスの濃度が１５ppmに低下し、６時間経過後において第１測定ではアンモニアガスの濃度が１２ppmに低下した。第１測定では、６時間経過後にアンモニアガスの濃度が初期ガス濃度の約１／３に減少したのに比較し、第２および第３測定では、アンモニアガスの濃度の大きな低下は見られなかった。
【０１１６】
図１７から明らかなように、脱臭具１４ａ，１４ｂを取り付けた試験用ダクト６０を設置することで、アンモニアガスの濃度を確実に低減させることができ、アンモニア臭（し尿臭やたばこ臭）を有効に除去する効果があることが分かった。したがって、脱臭具１４ａ，１４ｂは、それをダクト１２，１２ａ，１２ｂや送風ユニット１３，１３ａ，１３ｂに設置して使用することで、空気（空調空気、混合空気、室内空気）に含まれるし尿臭やたばこ臭を確実に除去することができる。また、脱臭具１４ａ，１４ｂを取り付けた送風ユニット１３，１３ａ，１３ｂを所定時間稼働させることで、空気（空調空気、混合空気、室内空気）に含まれるし尿臭やたばこ臭を確実に除去することができる。
【０１１７】
図１８は、トリメチルアミンに対する測定結果を示す図である。測定用のトリメチルアミンガスには、トリメチルアミン水溶液（２８％）（東京化成工業株式会社）から発生させたトリメチルアミンガスを使用した。トリメチルアミンに対する測定条件は、トリメチルアミン（初期ガス濃度：約２０ppm）、温度条件（室温）、測定時間（０分、１０分、３０分、１時間、３時間、６時間、ただし、測定値が定量下限（１ppm）未満になった時点で終了）である。
【０１１８】
図１８に示すように、経過時間０分において、第１〜第３測定ではトリメチルアミンガスの濃度が２０ppmであったが、３０分経過後において第１測定ではトリメチルアミンガスの濃度が３ppmに低下し、１時間経過後において第１測定ではトリメチルアミンガスの濃度が２ppmに低下し、３時間経過後において第１測定ではトリメチルアミンガスの濃度が１ppmに低下した。第１測定では、３時間経過後にトリメチルアミンガスの濃度が初期ガス濃度の１／２０に減少したのに比較し、第２および第３測定では、トリメチルアミンガスの濃度の大きな低下は見られなかった。
【０１１９】
図１８から明らかなように、脱臭具１４ａ，１４ｂを取り付けた試験用ダクト６０を設置することで、トリメチルアミンガスの濃度を確実に低減させることができ、トリメチルアミンガス臭（魚の腐敗臭）を有効に除去する効果があることが分かった。したがって、脱臭具１４ａ，１４ｂは、それをダクト１２，１２ａ，１２ｂや送風ユニット１３，１３ａ，１３ｂに設置して使用することで、空気（空調空気、混合空気、室内空気）に含まれる魚の腐敗臭（生ゴミの腐敗臭）を確実に除去することができる。また、脱臭具１４ａ，１４ｂを取り付けた送風ユニット１３，１３ａ，１３ｂを所定時間稼働させることで、空気（空調空気、混合空気、室内空気）に含まれる魚の腐敗臭（生ゴミの腐敗臭）を確実に除去することができる。
【０１２０】
図１９は、メチルメルカプタンに対する測定結果を示す図である。測定用のメチルメルカプタンガスには、メチルメルカプタンナトリウム水溶液（１５％）（小宗化学薬品株式会社）から発生させたメチルメルカプタンガスを使用した。メチルメルカプタンに対する測定条件は、メチルメルカプタン（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１２１】
図１９に示すように、経過時間０分において、第１〜第３測定ではメチルメルカプタンガスの濃度が４．０ppmであったが、１０分経過後において第１測定ではメチルメルカプタンガスの濃度が＜０．１ppmに低下した（測定値が定量下限未満になったので、測定をその時点で終了）。これに対し、第２および第３測定では、メチルメルカプタンガスの濃度の低下は見られなかった。
【０１２２】
図１９から明らかなように、脱臭具１４ａ，１４ｂを取り付けた試験用ダクト６０を設置することで、メチルメルカプタンガスの濃度を短時間に確実に低減させることができ、メチルメルカプタンガス臭（タマネギの腐敗臭）を有効に除去する効果があることが分かった。したがって、脱臭具１４ａ，１４ｂは、それをダクト１２，１２ａ，１２ｂや送風ユニット１３，１３ａ，１３ｂに設置して使用することで、空気（空調空気、混合空気、室内空気）に含まれるタマネギの腐敗臭（生ゴミの腐敗臭）を確実に除去することができる。また、脱臭具１４ａ，１４ｂを取り付けた送風ユニット１３，１３ａ，１３ｂを所定時間稼働させることで、空気（空調空気、混合空気、室内空気）に含まれるタマネギの腐敗臭（生ゴミの腐敗臭）を確実に除去することができる。
【０１２３】
図２０は、硫化水素に対する測定結果を示す図である。測定用の硫化水素ガスには、硫化鉄（ＩＩ）（硫化水素発生用）（小宗化学薬品株式会社）に稀釈酸を加えて発生させた硫化水素ガスを使用した。硫化水素に対する測定条件は、硫化水素（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１２４】
図２０に示すように、経過時間０分において、第１〜第３測定では硫化水素ガスの濃度が４．０ppmであったが、１０分経過後において第１測定では硫化水素ガスの濃度が＜０．１ppmに低下した（測定値が定量下限未満になったので、測定をその時点で終了）。これに対し、第２および第３測定では、硫化水素ガスの濃度の低下は見られなかった。
【０１２５】
図２０から明らかなように、脱臭具１４ａ，１４ｂを取り付けた試験用ダクト６０を設置することで、硫化水素ガスの濃度を短時間に確実に低減させることができ、硫化水素ガス臭（卵の腐敗臭）を有効に除去する効果があることが分かった。したがって、脱臭具１４ａ，１４ｂは、それをダクト１２，１２ａ，１２ｂや送風ユニット１３，１３ａ，１３ｂに設置して使用することで、空気（空調空気、混合空気、室内空気）に含まれる卵の腐敗臭（生ゴミの腐敗臭）を確実に除去することができる。また、脱臭具１４ａ，１４ｂを取り付けた送風ユニット１３，１３ａ，１３ｂを所定時間稼働させることで、空気（空調空気、混合空気、室内空気）に含まれる卵の腐敗臭（生ゴミの腐敗臭）を確実に除去することができる。
【０１２６】
図２１は、酢酸に対する測定結果を示す図である。測定用の酢酸ガスには、酢酸（特級）（小宗化学薬品株式会社）から発生させた酢酸ガスを使用した。酢酸に対する測定条件は、酢酸（初期ガス濃度：約５０ppm）、温度条件（室温）、測定時間（０分、１０分、３０分、１時間、３時間、６時間、ただし、測定値が定量下限（１ppm）未満になった時点で終了）である。
【０１２７】
図２１に示すように、経過時間０分において、第１〜第３測定では硫化水素ガスの濃度が５０ppmであったが、１０分経過後において第１測定では硫化水素ガスの濃度が＜１ppmに低下した（測定値が定量下限未満になったので、測定をその時点で終了）。これに対し、第２および第３測定では、硫化水素ガスの濃度の低下は見られなかった。
【０１２８】
図２１から明らかなように、脱臭具１４ａ，１４ｂを取り付けた試験用ダクト６０を設置することで、酢酸ガスの濃度を短時間に確実に低減させることができ、酢酸ガス臭を有効に除去する効果があることが分かった。したがって、脱臭具１４ａ，１４ｂは、それをダクト１２，１２ａ，１２ｂや送風ユニット１３，１３ａ，１３ｂに設置して使用することで、空気（空調空気、混合空気、室内空気）に含まれる酢酸臭（生ゴミの腐敗臭）を確実に除去することができる。また、脱臭具１４ａ，１４ｂを取り付けた送風ユニット１３，１３ａ，１３ｂを所定時間稼働させることで、空気（空調空気、混合空気、室内空気）に含まれる酢酸臭（生ゴミの腐敗臭）を確実に除去することができる。
【０１２９】
図２２は、アセトアルデヒドに対する測定結果を示す図である。測定用のアセトアルデヒドガスには、アセトアルデヒド（一級）（和光純薬工業株式会社）から発生させたアセトアルデヒドガスを使用した。アセトアルデヒドに対する測定条件は、アセトアルデヒド（初期ガス濃度：約２０ppm）、温度条件（室温）、測定時間（０分、１０分、３０分、１時間、３時間、６時間、ただし、測定値が定量下限（１ppm）未満になった時点で終了）である。
【０１３０】
図２２に示すように、経過時間０分において第１〜第３測定ではアセトアルデヒドガスの濃度が２０ppmであったが、１時間経過後において第１測定ではアセトアルデヒドガスの濃度が９ppmに低下し、３時間経過後において第１測定ではアセトアルデヒドガスの濃度が８ppmに低下し、６時間経過後において第１測定ではアセトアルデヒドガスの濃度が６ppmに低下した。第１測定では、６時間経過後にアンモニアガスの濃度が初期ガス濃度の約１／３に減少したのに比較し、第２および第３測定では、アンモニアガスの濃度の変化は見られなかった。
【０１３１】
図２２から明らかなように、脱臭具１４ａ，１４ｂを取り付けた試験用ダクト６０を設置することで、アセトアルデヒドガスの濃度を確実に低減させることができ、アセトアルデヒド臭（刺激的な青ぐさい臭い）を有効に除去する効果があることが分かった。したがって、脱臭具１４ａ，１４ｂは、それをダクト１２，１２ａ，１２ｂや送風ユニット１３，１３ａ，１３ｂに設置して使用することで、空気（空調空気、混合空気、室内空気）に含まれるアセトアルデヒド臭を確実に除去することができる。また、脱臭具１４ａ，１４ｂを取り付けた送風ユニット１３，１３ａ，１３ｂを所定時間稼働させることで、空気（空調空気、混合空気、室内空気）に含まれるアセトアルデヒド臭を確実に除去することができる。
【符号の説明】
【０１３２】
１０Ａ  空調設備
１０Ｂ  空調設備
１１    空調機
１２    ダクト
１３    送風ユニット
１４ａ  脱臭具
１４ｂ  脱臭具
１５    室
１６    天井
１７    室内ユニット（室内機）
１８    基端部
１９    中間部
２０    先端部
２３    床
２４    給気ファン
２５    空気合流スペース
２６    空気給気スペース
２７    室内空気導入路
２８    モーターケース
２９    羽根
３０    外周縁部
３１    羽根配置空間
３２    吹き出し口
３３    周壁
３４    ガラリ
３５    第１内周壁
３６    第２内周壁
３７    第１外周壁
３８    第２外周壁
３９    吸気口
４０    前面
４１    後面
４２    内周縁部
４３    外周縁部
４４    中央開口
４５    エアフィルタ
４６    通気性ネット
４７    軟質ポリウレタンフォーム
４８    通気路
４９    通気口
５０    壁面
５１    支持フレーム
５２    内周枠
５３    外周枠
５４    連結枠
【図１】
2016138712.tif 000003
【図２】
2016138712.tif 000004
【図３】
2016138712.tif 000005
【図４】
2016138712.tif 000006
【図５】
2016138712.tif 000007
【図６】
2016138712.tif 000008
【図７】
2016138712.tif 000009
【図８】
2016138712.tif 000010
【図９】
2016138712.tif 000011
【図１０】
2016138712.tif 000012
【図１１】
2016138712.tif 000013
【図１２】
2016138712.tif 000014
【図１３】
2016138712.tif 000015
【図１４】
2016138712.tif 000016
【図１５】
2016138712.tif 000017
【図１６】
2016138712.tif 000018
【図１７】
2016138712.tif 000019
【図１８】
2016138712.tif 000020
【図１９】
2016138712.tif 000021
【図２０】
2016138712.tif 000022
【図２１】
2016138712.tif 000023
【図２２】
2016138712.tif 000024